(57)【要約】【課題】本発明はカードコネクタのＦＰＣ／ＦＦＣとの半田付け作業（面実装）を省略することと、電子機器への取り付け時の作業性を良くすることにある。【解決手段】本発明はカードコネクタのカードコネクタハウジング１にＦＰＣ／ＦＦＣ用のＺＩＦ型コネクタ３０を備え、ＦＰＣ／ＦＦＣ２００の電極と接触させて電気的に接続させるＺＩＦ型コネクタ３０のＦＰＣ／ＦＦＣ用接触端子３８をカード用接触端子６に電気的に接続し、ＦＰＣ／ＦＦＣ用のＺＩＦ型コネクタ付きのカードコネクタを構成する。【選択図】  図１
2005276560.tif 000002
【特許請求の範囲】
【請求項１】
メモリーカードを挿入するスロット入り口及び該スロット入り口から挿入されるメモリーカードを収容するスロットを形成するカードコネクタハウジングと、スロットに挿入収容されたメモリーカードの電極と接触させて電気的に接続させるカード用接触端子とを備えるカードコネクタにおいて、カードコネクタハウジングにＦＰＣ／ＦＦＣ用のＺＩＦ型コネクタを備え、ＦＰＣ／ＦＦＣの電極と接触させて電気的に接続させるＺＩＦ型コネクタのＦＰＣ／ＦＦＣ用接触端子をカード用接触端子に電気的に接続したことを特徴とするカードコネクタ。
【請求項２】
第１ケース体と第２ケース体とで構成し、メモリーカードを挿入するスロット入り口及び該スロット入り口から挿入されるメモリーカードを収容するスロットを形成するカードコネクタハウジングと、第１ケース体に取り付け、スロットに挿入収容されたメモリーカードの電極と接触させて電気的に接続させるカード用接触端子とを備えるカードコネクタにおいて、ＦＰＣ／ＦＦＣを挿入する開口部及び該開口部から挿入されるＦＰＣ／ＦＦＣを収容する収容凹部を形成するＦＰＣ／ＦＦＣコネクタハウジングと、収容凹部に挿入収容されたＦＰＣ／ＦＦＣの電極に対するＦＰＣ／ＦＦＣ用接触端子と、ＦＰＣ／ＦＦＣコネクタハウジングにロック位置とアンロック位置との間で移動自在に取り付け、ロック位置に移動されたとき収容凹部に挿入収容されたＦＰＣ／ＦＦＣの電極をＦＰＣ／ＦＦＣ用接触端子に加圧接触させて電気的に接続させると共に、ＦＰＣ／ＦＦＣをＦＰＣ／ＦＦＣコネクタハウジングの収容凹部との間で挟持固定するＦＰＣ／ＦＦＣ保持部材とを備えるＦＰＣ／ＦＦＣ用のＺＩＦ型コネクタを備え、カードコネクタハウジングの第１ケース体におけるスロット入り口とは反対側にＦＰＣ／ＦＦＣコネクタハウジングを一体成形し、カード用接触端子にＦＰＣ／ＦＦＣ用接触端子を一体形成したことを特徴とするカードコネクタ。
【請求項３】
カードコネクタハウジングの第１ケース体とＦＰＣ／ＦＦＣコネクタハウジングを絶縁材料で一体成形すると共に、カード用接触端子とＦＰＣ／ＦＦＣ用接触端子を一体形成した導電材料よりなる接続端子をカードコネクタハウジングの第１ケースとＦＰＣ／ＦＦＣコネクタハウジングの一体成形品に一体に取り付け、カード用接触端子をカードコネクタハウジングの第１ケース体に配備し、ＦＰＣ／ＦＦＣ用接触端子をＦＰＣ／ＦＦＣコネクタハウジングに配備する請求項１又は２に記載のカードコネクタ。
【請求項４】
接続端子は、カード挿抜方向に延びるカード用接触端子と、スロットに挿入収容されたメモリーカードを排出するためにスロットの一側端部に配備されるイジェクト用のスライダの配備側となるカード用接触端子の一側縁から折り立てる端子連設片部と、該連設片部から後方へ延びるＦＰＣ／ＦＦＣ用接触端子とを備え、カード用接触端子の先端部にメモリーカードの電極と接触させて電気的に接続させるカード用接点を有し、ＦＰＣ／ＦＦＣ用接触端子の先端部にＦＰＣ／ＦＦＣの電極と接触させるＦＰＣ／ＦＦＣ用接点を有する請求項３に記載のカードコネクタ。
【請求項５】
カードコネクタハウジングのスロット入り口の外周側に着脱自在に嵌合する金属材料又は樹脂材料よりなる口金を備えた請求項３又は４に記載のカードコネクタ。
【請求項６】
カードコネクタハウジングと口金の接合面の一方に係合突起を形成し、他方に係合突起と係脱自在に嵌合させる係合孔を形成する請求項５に記載のカードコネクタ。
【発明の詳細な説明】
【技術分野】
【０００１】
本発明は、メモリーカードと各種電子機器の回路基板（ＰＣＢ：Printed  Circuit  Board）を電気的に接続するためのカードコネクタに関する。
【背景技術】
【０００２】
携帯電話、ＰＤＡ（Personal Digital Assistance）、デジタルカメラ等の小型電子機器に使用されるカードコネクタとして、回路基板に対する実装高さを低く抑え、かつ実装面積も小さい低背小型のカードコネクタが知られている。
【０００３】
図６〜図９に従来の低背小型のカードコネクタを示す。このコネクタは、薄い矩形箱状のカードコネクタハウジング１０１を備えている。このハウジング１０１は、絶縁材料（樹脂材料）よりなるボディ（第１ケース体）１０２とこのボディ１０２に嵌合する導電材料（金属材料）よりなるカバー（第２ケース体）１０３とで構成され、メモリーカード１００を挿入するスロット入り口１０４を前側面に開口形成し、スロット入り口１０４からハウジング１０１の内部空間にカード１００が挿入収容される。すなわち、ハウジング１０１がカード１００を挿入収容するスロット１０５を形成している。
【０００４】
また、コネクタはカード１００と電子機器の回路基板とを電気的に接続するための複数の接続端子（コンタクト）１０６を備えている。この各端子１０６は、導電材料（金属材料）よりなる細長い板片で構成され、ボディ１０２の後部に並列に一体に取り付けられ、各端子１０６の前半部を上下に弾性変位可能にボディ１０２の後部表面（スロット１０５の奥部底面）から前上がり傾斜状に突出させて、この各弾性アーム状の先端部にスロット１０５に挿入収容されたカード１００の各電極に接触させて電気的に接続するための内部接点１０７を有し、各端子１０６の後端部をボディ１０２からハウジング１０１の外側に突出させて、その各突出端部にコネクタが実装される回路基板の各電極に半田付けにより電気的に接続するための外部接点１０８を有している。
【０００５】
さらに、コネクタには内部機構として所謂プッシュイン／プッシュアウト型のイジェクト機構１０９を備えている。このイジェクト機構１０９は、ボディ１０２の内部一側端部に前後方向に摺動自在に配備され、ボディ１０２の内側に向かって突出するカード受け止め部１１０を後端部に有し、板バネよりなるカードハーフロック部材１１１を収容保持し、かつハーフロック部材１１１の弾性アーム部の先端部に有する係止爪１１２を退入可能にボディ１０２の内側に向かって突出する凹部１１３を中間部に有し、略ハート形状に形成され、後端頂部の起点部１１４と前端窪み部の係止部１１５とを往路１１６及び復路１１７により繋ぐカム溝１１８を前部に有する、スライダ１１９と、このスライダ１１９を後方に常時付勢するコイルバネ１２０と、両端部を一方向に直角に折り曲げた細長い金属棒からなり、前端折り曲げ部をこの軸回りに回動自在にボディ１０２の前端部に支持させて、後端折り曲げ部（揺動端部）をカム溝１１８に摺動自在に嵌入するカムピン１２１とで構成され、カード未挿入時、スライダ１１９はこの前端がボディ１０２の前端に突き当たるイジェクト位置にコイルバネ１１９により復帰保持され、カムピン１２１の後端折り曲げ部がカム溝１１８の起点部１１４に嵌入されている（図７に示す状態。）。
【０００６】
上記イジェクト機構は１０９は、カード１００が正規挿入姿勢でスロット入り口１０４からスロット１０５に挿入されると、挿入カード１００の角落し部１２２の角落し領域に受け止め部１１０が嵌合し、これと同時にハーフロック部材１１１の係止爪１１２が挿入カード１００のハーフロック用の係合溝１２３に嵌り込む。これにより、挿入カード１００とスライダ１１９がカード挿抜方向で係合連結される（図７に示す状態。）。この状態で、さらに挿入カード１００がスロット１０５に挿入されると、受け止め部１１０が後方へ押圧されてスライダ１１９が挿入カード１００と一体にイジェクト位置からコイルバネ１２０に抗して後方へ摺動し、スライダ１１９の後端がボディ１０２の後端に突き当たる最押し込み位置まで摺動する（図８に示す状態。ただし、仮想線で示すカムピン１２１は除く。）。この時点でカード１００の挿入力を解除すると、スライダ１１９はコイルバネ１２０により最押し込み位置から前方へ押し戻される。このスライダ１１９のイジェクト位置からの一連の動作により、カムピン１２１の後端折り曲げ部がカム溝１１８の起点部１１４から往路１１６を経て係止部１１５に導入係止され、スライダ１１９の前方への摺動を最押し込み位置より少し手前の位置（カード装着位置）で規制し、ボディ１０２に対してスライダ１１９をカード装着位置で位置保持する（ロックする）。これにより、スライダ１１９とカード挿抜方向で係合連結されている挿入カード１００がスロット１０５のカード装着位置に収容保持され、同時に挿入カード１００の各電極と各端子１０６の内部接点１０７とが接触して電気的に接続される（図９に示す状態。）。
【０００７】
また、挿入カード１００がスロット１０５のカード装着位置に収容保持されている状態（図９に示す状態）で、この挿入カード１００の挿入操作を行うことにより、再び、受け止め部１１０が後方へ押圧されてスライダ１１９が挿入カード１００と一体にカード装着位置からコイルバネ１２０に抗して後方へ摺動し、最押し込み位置に摺動する。このスライダ１１９のカード装着位置から最押し込み位置への押し込み動作により、カムピン１２１の後端折り曲げ部がカム溝１１８の係止部１１５から離脱して復路１１６に導入されて、スライダ１１９の前方への摺動規制が解除される（図８に示す状態。ただし、実線で示すカムピン１２１は除く。）。この時点でカード１００の挿入力を解除することにより、スライダ１１９はコイルバネ１２０により最押し込み位置から前方へ摺動してイジェクト位置へと復帰し、スライダ１１９とカード挿抜方向で係合連結されている挿入カード１００はスロット１０５のイジェクト位置まで排出され、そのイジェクト位置で保持されることとなる（図７に示す状態）。スロット１０５のイジェクト位置に保持されている挿入カード１００は、スロット入り口１０４から突出している前端部を把持して引き抜くことにより、ハーフロック部材１１１の係止爪１１２が挿入カード１００のハーフロック用の係合溝１２３から離脱して、ハーフロックが解除され、スロット１０５からスロット入り口１０４を経て抜き去られることとなる。
【０００８】
上記コネクタは、回路基板の電極に各端子１０６の外部接点１０８を半田付けして電気的に接続した状態でこの回路基板上に実装されて、電子機器のハウジングに開口形成されたスロット孔にスロット入り口１０４を開口するように、電子機器に取り付けられ、スロット入り口１０４からスロット１０５に挿入収容されたメモリーカード１００と電子機器の回路基板を電気的に接続させるという機能を発揮し、電子データの入出力が可能となる。
【０００９】
また、小型電子機器の小型化や部品配置の影響を受けて、回路基板上に実装できないコネクタは、フレキシブルプリント回路配線板（Flexible  Printed  Circuit：以下、「ＦＰＣ」という。）やフレキシブルフラットケーブル（Flexible  Flat  Cable：以下「ＦＦＣ」という。）を介して回路基板と電気的に接続させて、小型電子機器のハウジングに取り付けられる。この場合、コネクタは「ＦＰＣやＦＦＣ」（以下、「ＦＰＣ／ＦＦＣ」とういう。）の各電極（導体部）に各端子１０６の外部接点１０８を半田付けして電気的に接続した状態でＦＰＣ／ＦＦＣに面実装される。（例えば、「特許文献１」参照。）。
【００１０】
しかしながら、ＦＰＣ／ＦＦＣにコネクタを面実装するための半田付け工程が、回路基板との半田付け工程とは別に必要になることや、コネクタのハウジングを小型電子機器のハウジングに取り付ける時には、既にコネクタにＦＰＣ／ＦＦＣが半田付けされているため、狭小スペースへの取り付け作業が困難になると共に、ＦＰＣ／ＦＦＣの引き回しが困難になる。等の問題がある。
【００１１】
ところで、従来、ＦＰＣ／ＦＦＣを回路基板に接続するためのコネクタとして、ＦＰＣ／ＦＦＣを挿入抵抗ゼロでコネクタに装着できるＺＩＦ（Zero  Insertion  Force）型コネクタがある（例えば「特許文献２」参照。）。
【特許文献１】特開２００３−２８２２０３号公報
【特許文献２】特開２０００−１１３９２９号公報
【発明の開示】
【発明が解決しようとする課題】
【００１２】
本発明が解決する課題は、カードコネクタのＦＰＣ／ＦＦＣとの半田付け作業（面実装）を省略することと、電子機器への取り付け時の作業性を良くすることにある。
【課題を解決するための手段】
【００１３】
本発明は、メモリーカードを挿入するスロット入り口及び該スロット入り口から挿入されるメモリーカードを収容するスロットを形成するカードコネクタハウジングと、スロットに挿入収容されたメモリーカードの電極と接触させて電気的に接続させるカード用接触端子とを備えるカードコネクタにおいて、カードコネクタハウジングにＦＰＣ／ＦＦＣ用のＺＩＦ型コネクタを備え、ＦＰＣ／ＦＦＣの電極と接触させて電気的に接続させるＺＩＦ型コネクタのＦＰＣ／ＦＦＣ用接触端子をカード用接触端子に電気的に接続したことを特徴とする。
【００１４】
本発明は、第１ケース体と第２ケース体とで構成し、メモリーカードを挿入するスロット入り口及び該スロット入り口から挿入されるメモリーカードを収容するスロットを形成するカードコネクタハウジングと、第１ケース体に取り付け、スロットに挿入収容されたメモリーカードの電極と接触させて電気的に接続させるカード用接触端子とを備えるカードコネクタにおいて、ＦＰＣ／ＦＦＣを挿入する開口部及び該開口部から挿入されるＦＰＣ／ＦＦＣを収容する収容凹部を形成するＦＰＣ／ＦＦＣコネクタハウジングと、収容凹部に挿入収容されたＦＰＣ／ＦＦＣの電極に対するＦＰＣ／ＦＦＣ用接触端子と、ＦＰＣ／ＦＦＣコネクタハウジングにロック位置とアンロック位置との間で移動自在に取り付け、ロック位置に移動されたとき収容凹部に挿入収容されたＦＰＣ／ＦＦＣの電極をＦＰＣ／ＦＦＣ用接触端子に加圧接触させて電気的に接続させると共に、ＦＰＣ／ＦＦＣをＦＰＣ／ＦＦＣコネクタハウジングの収容凹部との間で挟持固定するＦＰＣ／ＦＦＣ保持部材とを備えるＦＰＣ／ＦＦＣ用のＺＩＦ型コネクタを備え、カードコネクタハウジングの第１ケース体におけるスロット入り口とは反対側にＦＰＣ／ＦＦＣコネクタハウジングを一体成形し、カード用接触端子にＦＰＣ／ＦＦＣ用接触端子を一体形成したことを特徴とする。
【００１５】
本発明においては、カードコネクタハウジングの第１ケース体とＦＰＣ／ＦＦＣコネクタハウジングを絶縁材料で一体成形すると共に、カード用接触端子とＦＰＣ／ＦＦＣ用接触端子を一体形成した導電材料よりなる接続端子をカードコネクタハウジングの第１ケースとＦＰＣ／ＦＦＣコネクタハウジングの一体成形品に一体に取り付け、カード用接触端子をカードコネクタハウジングの第１ケース体に配備し、ＦＰＣ／ＦＦＣ用接触端子をＦＰＣ／ＦＦＣコネクタハウジングに配備する。という構成を付加することができる。この場合、接続端子は、カード挿抜方向に延びるカード用接触端子と、スロットに挿入収容されたメモリーカードを排出するためにスロットの一側端部に配備されるイジェクト用のスライダの配備側となるカード用接触端子の一側縁から折り立てる端子連設片部と、該連設片部から後方へ延びるＦＰＣ／ＦＦＣ用接触端子とを備え、カード用接触端子の先端部にメモリーカードの電極と接触させて電気的に接続させるカード用接点を有し、ＦＰＣ／ＦＦＣ用接触端子の先端部にＦＰＣ／ＦＦＣの電極と接触させるＦＰＣ／ＦＦＣ用接点を有する。という構成を付加することができる。
【００１６】
本発明においては、カードコネクタハウジングのスロット入り口の外周側に着脱自在に嵌合する金属材料又は樹脂材料よりなる口金を備える。という構成を付加することができる。この場合、カードコネクタハウジングと口金の接合面の一方に係合突起を形成し、他方に係合突起と係脱自在に嵌合させる係合孔を形成する。という構成を付加することができる。
【発明の効果】
【００１７】
本発明によれば、カードコネクタにＦＰＣ／ＦＦＣ用のＺＩＦ型コネクタを備えるため、カードコネクタとＦＰＣ／ＦＦＣとの半田付け作業（面実装）が不要となり、この作業を省略することができる。カードコネクタを電子機器のハウジングに取り付けた後にＦＰＣ／ＦＦＣを接続できるため、カードコネクタの取り付け作業性を良くすることができると共に、様々な電子機器への取り付け方法にも対応できる。ＦＰＣ／ＦＦＣの接続も簡単で、メンテナンス時の作業性も良くすることができる。という効果を奏する。
【００１８】
また、カードコネクタハウジングの第１ケース体におけるスロット入り口とは反対側にＦＰＣ／ＦＦＣコネクタハウジングを一体成形しているため、カードコネクタの部品点数及び組み立て工程の増加、製造コストの増加を抑制することができる。カード用接触端子にＦＰＣ／ＦＦＣ用接触端子を一体形成しているため、カードコネクタの部品点数及び組み立て工程の増加、製造コストの増加を抑制することができると共に、メモリーカードとＦＰＣ／ＦＦＣとの高い接続信頼性を確保することができる。という効果を奏する。
【００１９】
接続端子は、カード挿抜方向に延びるカード用接触端子と、スロットに挿入収容されたメモリーカードを排出するためにスロットの一側端部に配備されるイジェクト用のスライダの配備側となるカード用接触端子の一側縁から立ち上げる端子連設片部と、該連設片部からカード挿抜方向と同方向のＦＰＣ／ＦＦＣ挿抜方向に延びるＦＰＣ／ＦＦＣ用接触端子とを備え、カード用接触端子の先端部にメモリーカードの電極と接触させて電気的に接続させるカード用接点を有し、ＦＰＣ／ＦＦＣ用接触端子の先端部にＦＰＣ／ＦＦＣの電極と接触させるＦＰＣ／ＦＦＣ用接点を有する。という構成を付加したことにより、ＦＰＣ／ＦＦＣ用のＺＩＦ型コネクタを少なくともカード用接触端子１本分以上カードコネクタの中央部に寄せた位置に配備することができ、ＦＰＣ／ＦＦＣ保持部材の移動操作やＦＰＣ／ＦＦＣコネクタハウジングの収容凹部に対するＦＰＣ／ＦＦＣの挿抜き等のＦＰＣ／ＦＦＣの着脱操作がカードコネクタを電子機器に取り付けた状態でも容易に行うことができる。という効果を奏する。
【００２０】
カードコネクタハウジングのスロット入り口の外周側に着脱自在に嵌合する金属材料又は樹脂材料よりなる口金を備える。という構成を付加したことにより、回路基板に実装しないカードコネクタのスロット入り口部の変形を防止できるため、メモリーカードが挿抜き時にこじられてもカードコネクタへの応力をスロット入り口部で吸収でき、変形破損等を防止することができる。口金はカードコネクタと独立して着脱が可能なため、不要な場合は口金なしの形態でカードコネクタを使用できる。という効果を奏する。
【発明を実施するための最良の形態】
【００２１】
以下、本発明の実施形態を図面に基づいて説明する。図１は本発明の実施の形態によるカードコネクタの外観斜視図、図２は本実施形態におけるカード装着状態のコネクタの要部断面図である。本実施形態のカードコネクタは、薄い矩形箱状のカードコネクタハウジング１を備えている。このカードコネクタハウジング１は、絶縁材料（樹脂材料）よりなるボディ（第１ケース体）２（図３参照。）とこのボディ２に嵌合する導電材料（金属材料）よりなるカバー（第２ケース体）３とで構成され、メモリーカード１００を挿入するスロット入り口４を前側面に開口形成し、スロット入り口４からカードコネクタハウジング１の内部空間にメモリーカード１００が挿入収容される。すなわち、カードコネクタハウジング１がメモリーカード１００を挿入収容するスロット５を形成している。
【００２２】
また、本実施形態のカードコネクタはメモリーカード１００の各電極と接触させて電気的に接続させる複数のカード用接触端子６（図４参照。）を備えている。この各カード用接触端子６は、導電材料（金属材料）よりなる細長い板片で構成され、ボディ２の後部にインサート成形または圧入により並列に一体に取り付けられ、各カード用接触端子６の前半部を上下に弾性変位可能にボディ２の後部表面（スロット５の奥部底面）から前上がり傾斜状に突出させて、この各弾性アーム状の先端部にスロット５に挿入収容されたカード１００の各電極に接触させて電気的に接続するためのカード用接点７を有している。
【００２３】
さらに、本実施形態のカードコネクタには内部機構として、図６〜図９に示した従来のカードコネクタと同じプッシュイン／プッシュアウト型のイジェクト機構１０９を備えており、スロット入り口４からスロット５にメモリーカード１００を正規挿入姿勢で挿入することにより、イジェクト機構１０９により、挿入メモリーカード１００はスロット５のカード装着位置に収容保持され、同時に挿入メモリーカード１００の各電極と各カード用接触端子６のカード用接点７とが接触して電気的に接続される。また挿入メモリーカード１００がスロット５のカード装着位置に収容保持されている状態で、この挿入メモリーカード１００の挿入操作を行うことにより、イジェクト機構１０９により、挿入メモリーカード１００はスロット５のイジェクト位置まで排出されて、そのイジェクト位置で保持される。スロット５のイジェクト位置に保持されている挿入メモリーカード１００を、スロット入り口４から突出している前端部を把持して引き抜くことにより、スロット５からスロット入り口４を経て抜き去ることができる。
【００２４】
また、本実施形態のカードコネクタは、図１、図２に示すように、ＦＰＣ／ＦＦＣ用のＺＩＦ型コネクタ３０を備えている。このＦＰＣ／ＦＦＣ用のＺＩＦ型コネクタ３０はＦＰＣ／ＦＦＣコネクタハウジング３１を備えている。このＦＰＣ／ＦＦＣコネクタハウジング３１は、カードコネクタハウジング１のボディ２におけるスロット入り口４とは反対側の後端部に背合わせの状態で一体成形され、ボディ２と同じ絶縁材料（樹脂材料）よりなる薄い矩形箱状に形成される。図３にも示すように、カードコネクタハウジング１のボディ２におけるスロット入り口４とは反対側の後端部より後方に向かって突出しているＦＰＣ／ＦＦＣコネクタハウジング３１は、ＦＰＣ／ＦＦＣ２００を挿入する開口部３２を後側面に開口形成し、該開口部３２からＦＰＣ／ＦＦＣコネクタハウジング３１の内部空間にＦＰＣ／ＦＦＣ２００の接続端部が所定長さ挿入収容される。すなわちＦＰＣ／ＦＦＣコネクタハウジング３１がＦＰＣ／ＦＦＣ２００の接続端部を所定長さ挿入収容する収容凹部３３を形成している。この収容凹部３３の床面には複数の下部端子収容溝３４が並列に形成される。この各下部端子収容溝３４は貫通孔３５を介してカードコネクタハウジング１のスロット５に連通されている。また収容凹部３３の天井面には、各下部端子収容溝３４の溝側壁３６と対向する位置に、スリット状の上部端子収容溝３７が並列に形成されている。
【００２５】
また、ＦＰＣ／ＦＦＣ用のＺＩＦ型コネクタ３０は、ＦＰＣ／ＦＦＣ２００の接続端部の各電極と接触させて電気的に接続させる複数のＦＰＣ／ＦＦＣ用接触端子３８（図４参照。）を備えている。この各ＦＰＣ／ＦＦＣ用接触端子３８は、各カード用接触端子６それぞれに一体形成され、カード用接触端子６と同じ導電材料（金属材料）よりなる細長い板片で構成され、カード用接触端子６とでメモリーカード１００とＦＰＣ／ＦＦＣ２００とを電気的に接続するための接続端子３９を構成している。
【００２６】
接続端子３９は、図４に示すように、カード挿抜方向（前後方向）に延びるカード用接触端子６と、スロット５に挿入収容されたメモリーカード１００を排出するためにスロット５の内部一側端部に配備されるイジェクト用のスライダ１１９の配備側となるカード用接触端子６の一側縁中間部から折り立てる端子連設片部４０と、この端子連設片部４０から後方へ延びるＦＰＣ／ＦＦＣ用接触端子３８とを備え、カード用接触端子６の先端部（前端部）にメモリーカード１００の各電極と接触させて電気的に接続させるカード用端子７を有し、ＦＰＣ／ＦＦＣ用接触端子３８の先端部（後端部）にＦＰＣ／ＦＦＣ２００の接続端部の各電極と接触させて電気的に接続させるＦＰＣ／ＦＦＣ用接点４１を有している。
【００２７】
このように、カード用接触端子６と端子連設片部４０とＦＰＣ／ＦＦＣ用接触端子３８を一体形成した導電材料（金属材料）よりなる各接続端子３９は、絶縁材料（樹脂材料）よりなるカードコネクタハウジング１のボディ２とＦＰＣ／ＦＦＣコネクタハウジング３１の一体成形品の成形時に、カードコネクタハウジング１のボディ２とＦＰＣ／ＦＦＣコネクタハウジング３１に跨って一体に取り付けられ、図２に示すように、各接続端子３９におけるカード用接触端子６が、前述のように、ボディ２の後部に並列に一体に取り付けられ、各カード用接触端子６の前半部が上下に弾性変位可能にボディ２の後部表面（スロット５の奥部底面）から前上がり傾斜状に突出し、この各弾性アーム状の先端部にカード用接点７を有している。また各カード用接触端子６の後半部は、スロット５から貫通孔３５を介してＦＰＣ／ＦＦＣコネクタハウジング３１における各下部端子収容溝３４の溝底に延出嵌合させて、ＦＰＣ／ＦＦＣコネクタハウジング３１の補強部材として機能させている。一方、各接続端子３９におけるＦＰＣ／ＦＦＣ用接触端子３８は、連設片部４０を介して各上部端子収容溝３７の奥壁からこの上部端子収容溝３７の内部に突出させて、この弾性アーム状の先端部にＦＰＣ／ＦＦＣ用接点４１を有している。この各ＦＰＣ／ＦＦＣ用接点４１は、収容凹部３３の天井面から下向きに突き出している。
【００２８】
さらに、ＦＰＣ／ＦＦＣ用のＺＩＦ型コネクタ３０はＦＰＣ／ＦＦＣ保持部材４２を備えている。このＦＰＣ／ＦＦＣ保持部材４２は、図１、図２に示すように、ＦＰＣ／ＦＦＣコネクタハウジング３１の収容凹部３３の天井面との間にＦＰＣ／ＦＦＣ２００の接続端部を略挿入抵抗ゼロで挿入収容可能な隙間を残すように、ＦＰＣ／ＦＦＣコネクタハウジング３１の開口部３２から収容凹部３３にＦＰＣ／ＦＦＣ挿抜方向にスライド移動自在に挿し込まれているＦＰＣ／ＦＦＣ保持部材本体である板状のスライド部４３と、収容凹部３３からＦＰＣ／ＦＦＣコネクタハウジング３１の外側に突出するスライド部４３の端部における上面を除く周側面から突出形成するフランジ部４４と、このフランジ部４４の左右端部からＦＰＣ／ＦＦＣコネクタハウジング３１の左右外側面に沿って突出形成する左右のロック脚部４５とを有し、ＦＰＣ／ＦＦＣコネクタハウジング３１の左右外側面にロック及び抜け止め用の凹凸壁４６（図３参照。）を形成すると共に、このＦＰＣ／ＦＦＣコネクタハウジング３１の左右外側面に対向する左右のロック脚部４５の内面にロック用凸部及び抜け止め用凸部（図示省略）を形成し、スライド部４３は、収容凹部３３に押し込まれると、ロック脚部４５のロック用凸部が凹凸壁４６の凹部に嵌り込み、その押し込み位置にてＦＰＣ／ＦＦＣコネクタハウジング３１に固定され、ＦＰＣ／ＦＦＣ２００の接続端部を収容凹部３３の天井面に押し付ける押圧力を発揮する一方、凹凸壁４６の凹部からロック脚部４５のロック用凸部が離脱し凹凸壁４６の凸部にロック脚部４５の抜け止め用凸部が係合する引き出し位置に引き出されると、押圧力が解除されて、ＦＰＣ／ＦＦＣ２００が挿抜き自在となるように例えばくさび状に形成されている。
【００２９】
次に、ＦＰＣ／ＦＦＣ用のＺＩＦ型コネクタ３０にＦＰＣ／ＦＦＣ２００を接続する方法を説明する。まず、ＦＰＣ／ＦＦＣ保持部材４２のフランジ部４４を、例えば親指と人指し指とで左右から挟み、図２の仮想線に示すように、スライド部４３をＦＰＣ／ＦＦＣコネクタハウジング３１の収容凹部３３より引き出した状態とする。この状態で、ＦＰＣ／ＦＦＣ保持部材４２のスライド部４３の上面と収容凹部３３の天井面との間に開口部３２からＦＰＣ／ＦＦＣ２００の接続端部を挿入する。この時には、スライド部４３の上面と収容凹部３３の天井面から突出しているＦＰＣ／ＦＦＣ用接点４１との隙間はＦＰＣ／ＦＦＣ２００の接続端部の厚さ寸法以上となるように設定されている。このため、ＦＰＣ／ＦＦＣ２００の接続端部は略挿入抵抗ゼロでＦＰＣ／ＦＦＣコネクタハウジング３１の開口部３２から収容凹部３３に挿入収容することができる。次いで、引き出し位置（アンロック位置）に引き出されているＦＰＣ／ＦＦＣ保持部材４２のスライド部４３を収容凹部３３に徐々に押し込んで行き、図１、図２に示すように、ロック脚部４５のロック用凸部が凹凸壁４６の凹部に嵌り込む押し込み位置（ロック位置）にてＦＰＣ／ＦＦＣコネクタハウジング３１に固定する。この時には、スライド部４３の上面と収容凹部３３の天井面との隙間はＦＰＣ／ＦＦＣ２００の接続端部の厚さ寸法以下となるように設定されている。このため、ＦＰＣ／ＦＦＣ保持部材４２のスライド部４３がＦＰＣ／ＦＦＣ２００の接続端部を収容凹部３３の天井面に押し付ける押圧力を発揮する。これにより、ＦＰＣ／ＦＦＣ２００の接続端部は、その各電極（導体部）が各ＦＰＣ／ＦＦＣ用接点４１に加圧接触して電気的に接続された状態で、スライド部４３の上面（押圧面）と収容凹部３３の天井面との間で挟持固定されることとなる。
【００３０】
上記のようにして、ＦＰＣ／ＦＦＣ用のＺＩＦ型コネクタ３０に対するＦＰＣ／ＦＦＣ２００の接続が行われる。すなわちＦＰＣ／ＦＦＣ２００と接続端子３９におけるＦＰＣ／ＦＦＣ用接触端子３８との電気的な接続並びにＦＰＣ／ＦＦＣとコネクタハウジング３１との機械的な固定が行われる。また、ＦＰＣ／ＦＦＣ用のＺＩＦ型コネクタ３０に接続されたＦＰＣ／ＦＦＣ２００を取り外すには、ＦＰＣ／ＦＦＣ保持部材４２のフランジ部４４を、例えば親指と人指し指とで左右から挟み、押し込み位置に押し込まれているスライド部４３をＦＰＣ／ＦＦＣとコネクタハウジング３１の収容凹部３３から引き出した状態とする。これにより、ＦＰＣ／ＦＦＣコネクタハウジング３１の収容凹部３３に挿入収容されているＦＰＣ／ＦＦＣ２００の接続端部に対する押圧力が解除されて、ＦＰＣ／ＦＦＣ２００はＦＰＣ／ＦＦＣコネクタハウジング３１の収容凹部３３から開口部３２を経て抜き去り可能となる。
【００３１】
以上のように本実施形態のカードコネクタは、メモリーカード１００を挿入するスロット入り口４及び該スロット入り口４から挿入されるメモリーカード１００を収容するスロット５を形成するカードコネクタハウジング１と、スロット５に挿入収容されたメモリーカード１００の電極と接触させて電気的に接続させるカード用接触端子６とを備えると共に、カードコネクタハウジング１にＦＰＣ／ＦＦＣ用のＺＩＦ型コネクタ３０を備え、ＦＰＣ／ＦＦＣ２００の電極と接触させて電気的に接続させるＺＩＦ型コネクタ３０のＦＰＣ／ＦＦＣ用接触端子３８をカード用接触端子６に電気的に接続したものである。
【００３２】
詳しくは、第１ケース体２と第２ケース体３とで構成し、メモリーカード１００を挿入するスロット入り口４及び該スロット入り口４から挿入されるメモリーカード１００を収容するスロット５を形成するカードコネクタハウジング１と、第１ケース体２に取り付け、スロット５に挿入収容されたメモリーカード１００の電極と接触させて電気的に接続させるカード用接触端子６とを備えると共に、ＦＰＣ／ＦＦＣ２００を挿入する開口部３２及び該開口部３２から挿入されるＦＰＣ／ＦＦＣ２００を収容する収容凹部３３を形成するＦＰＣ／ＦＦＣコネクタハウジング３１と、収容凹部３３に挿入収容されたＦＰＣ／ＦＦＣ２００の電極に対するＦＰＣ／ＦＦＣ用接触端子３８と、ＦＰＣ／ＦＦＣコネクタハウジング３１にロック位置とアンロック位置との間で移動自在に取り付け、ロック位置に移動されたとき収容凹部３３に挿入収容されたＦＰＣ／ＦＦＣ２００の電極をＦＰＣ／ＦＦＣ用接触端子３８に加圧接触させて電気的に接続させると共に、ＦＰＣ／ＦＦＣ２００をＦＰＣ／ＦＦＣコネクタハウジング３１の収容凹部３３との間で挟持固定するＦＰＣ／ＦＦＣ保持部材４２とを備えるＦＰＣ／ＦＦＣ用のＺＩＦ型コネクタ３０を備え、カードコネクタハウジング１の第１ケース体２におけるスロット入り口４とは反対側にＦＰＣ／ＦＦＣコネクタハウジング３１を一体成形し、カード用接触端子６にＦＰＣ／ＦＦＣ用接触端子３８を一体形成したものである。
【００３３】
また、カードコネクタハウジング１の第１ケース体２とＦＰＣ／ＦＦＣコネクタハウジング３１を絶縁材料で一体成形すると共に、カード用接触端子６とＦＰＣ／ＦＦＣ用接触端子３８を一体形成した導電材料よりなる接続端子３９をインサート成形または圧入によりカードコネクタハウジング１の第１ケース２とＦＰＣ／ＦＦＣコネクタハウジング３１の一体成形品に一体に取り付け、カード用接触端子６をカードコネクタハウジング１の第１ケース体２に配備し、ＦＰＣ／ＦＦＣ用接触端子３８をＦＰＣ／ＦＦＣコネクタハウジング３１に配備している。
【００３４】
さらに、接続端子３９は、カード挿抜方向に延びるカード用接触端子６と、スロット５に挿入収容されたメモリーカード１００を排出するためにスロット５の一側端部に配備されるイジェクト用のスライダ１１９の配備側となるカード用接触端子６の一側縁から折り立てる端子連設片部４０と、該連設片部４０から後方へ延びるＦＰＣ／ＦＦＣ用接触端子３８とを備え、カード用接触端子６の先端部にメモリーカード１００の電極と接触させて電気的に接続させるカード用接点７を有し、ＦＰＣ／ＦＦＣ用接触端子３８の先端部にＦＰＣ／ＦＦＣ２００の電極と接触させるＦＰＣ／ＦＦＣ用接点４１を有している。
【００３５】
上記のように構成された本実施形態によるＦＰＣ／ＦＦＣ用のＺＩＦ型コネクタ３０付きカードコネクタは、携帯電話、ＰＤＡ、デジタルカメラ等の小型電子機器のハウジングに、これに開口形成されているスロット孔にスロット入り口４を開口するように取り付けた後に、一端が小型電子機器の回路基板に半田付けされて電気的に接続されているＦＰＣ／ＦＦＣ２００の他端をＦＰＣ／ＦＦＣ用のＺＩＦ型コネクタ３０に接続するだけで、小型電子機器への取り付けを完了する。そして、スロット入り口４からスロット５に挿入収容されたメモリーカード１００の各電極を、既にＦＰＣ／ＦＦＣ２００と電気的に接続され、そのＦＰＣ／ＦＦＣ２００を介して回路基板に電気的に接続されている各接続端子３９におけるカード接触端子６と電気的に接続させ、メモリーカード１００を回路基板を電気的に接続させる機能を発揮し、電子データの入出力が可能となる。
【００３６】
上記から明らかなように、カードコネクタにＦＰＣ／ＦＦＣ用のＺＩＦ型コネクタ３０を備えるため、カードコネクタとＦＰＣ／ＦＦＣ２００との半田付け作業（面実装）が不要となり、この作業を省略することができる。またカードコネクタを小型電子機器のハウジングに取り付けた後にＦＰＣ／ＦＦＣ２００を接続できるため、カードコネクタの取り付け作業性が良くなると共に、様々な小型電子機器への取り付け方法にも対応できる。さらにＦＰＣ／ＦＦＣ２００の接続も簡単で、メンテナンス時の作業性も良くなる。
【００３７】
また、カードコネクタハウジング１の第１ケース体２におけるスロット入り口４とは反対側にＦＰＣ／ＦＦＣコネクタハウジング３１を一体成形し、またカード用接触端子６にＦＰＣ／ＦＦＣ用接触端子３８を一体形成しているため、カードコネクタの部品点数及び組み立て工程の増加、製造コストの増加を抑制することができると共に、メモリーカード１００とＦＰＣ／ＦＦＣ２００との高い接続信頼性を確保している。
【００３８】
さらに、接続端子３９は、カード用接触端子６列に対してＦＰＣ／ＦＦＣ用接触端子３８列を少なくともカード用接触端子６の１本分以上カードコネクタの中央部に寄せた位置に配備する。これにより、ＦＰＣ／ＦＦＣ用のＺＩＦ型コネクタ３０を少なくともカード用接触端子１本分以上カードコネクタの中央部に寄せた位置に配備することができ、ＦＰＣ／ＦＦＣ保持部材４２の移動操作やＦＰＣ／ＦＦＣコネクタハウジング３１の収容凹部３３に対するＦＰＣ／ＦＦＣ２００の挿抜き等のＦＰＣ／ＦＦＣ２００の着脱操作がカードコネクタを小型電子機器に取り付けた状態でも容易に行うことができる。
【００３９】
尚、本実施形態ではＦＰＣ／ＦＦＣ用のＺＩＦ型コネクタ３０は、ＦＰＣ／ＦＦＣ保持部材４２がスライド式のものを示したが、回動式のものでも良い。
【００４０】
ところで、本実施形態のカードコネクタには、図５に示すように、カードコネクタハウジング１のスロット入り口４の外周側に着脱自在に嵌合する金属材料又は樹脂材料よりなる矩形枠状の口金４７を備えている。またカードコネクタハウジング１と口金４７の接合面の一方に係合突起４８を形成し、他方に係合突起４８と係脱自在に嵌合させる係合孔４９を形成している。図５には、カードコネクタハウジング１をボディ２とで構成しているカバー３の前端部両側面に球面状に係合突起４８を形成し、口金４７の左右側面に円形の係合孔４９を開口形成した例を示し、この口金４７は、カードコネクタハウジング１の前方からスロット入り口４の外周側に嵌め込むと、係合突起４８左右の４８に係合孔４９が嵌り込み、カードコネクタハウジング１のスロット入り口４の外周側に嵌合固定される。
【００４１】
カードコネクタハウジング１のスロット入り口４の外周側に口金４７を嵌合することにより、回路基板に実装しない本実施形態のようなカードコネクタのスロット入り口４部の変形を防止できるため、メモリーカード１００が挿抜き時に左右や上下何れの方向にこじられても、カードコネクタへの応力をスロット入り口４部で吸収でき、変形破損等を防止することができる。尚、口金４７はカードコネクタと独立して着脱が可能なため、不要な場合は口金なしの形態でカードコネクタを使用できる。
【図面の簡単な説明】
【００４２】
【図１】本発明の実施の形態によるカードコネクタの外観斜視図である。
【図２】本実施形態におけるカード装着状態のコネクタの要部断面図である。
【図３】本実施形態におけるボディの外観斜視図である。
【図４】本実施形態における接続端子の外観斜視図である。
【図５】本実施形態におけるスロット入り口部に口金を取り付けた状態を示す外観斜視図である。
【図６】従来のカードコネクタの外観斜視図である。
【図７】従来のカードイジェクト状態のコネクタ内部を示すボディの平面図である。
【図８】従来のカード最押し込み状態のコネクタ内部を示す要部平面図である。
【図９】従来のカード装着状態のコネクタ内部を示す要部平面図である。
【符号の説明】
【００４３】
１  カードコネクタハウジング
２  ボディ（第１ケース体）
３  カバー（第２ケース体）
４  スロット入り口
５  スロット
６  カード用接触端子
７  カード用接点
３０  ＦＰＣ／ＦＦＣ用のＺＩＦ型コネクタ
３１  ＦＰＣ／ＦＦＣコネクタハウジング
３２  開口部
３３  収容凹部
３８  ＦＰＣ／ＦＦＣ用接触端子
３９  接続端子
４０  端子連設部
４１  ＦＰＣ／ＦＦＣ用接点
４２  ＦＰＣ／ＦＦＣ保持部材
４７  口金
４８  係合突起
４９  係合孔
１００  メモリーカード
１０９  イジェクト機構
１１９  スライダ
２００  ＦＰＣ／ＦＦＣ
【図１】
2005276560.tif 000003
【図２】
2005276560.tif 000004
【図３】
2005276560.tif 000005
【図４】
2005276560.tif 000006
【図５】
2005276560.tif 000007
【図６】
2005276560.tif 000008
【図７】
2005276560.tif 000009
【図８】
2005276560.tif 000010
【図９】
2005276560.tif 000011